(57)【要約】      （修正有）【課題】設定変更後の画像のイメージを変更前にユーザに知らしめる。【解決手段】異なった複数の露出条件でブラケット撮影して逐次表示画像群を生成する第１工程と、画像処理のパラメータを異なった複数の設定値に変化させて画像処理を逐次表示画像群に対して適用して縮小画像群を生成する第２工程と、露出条件または画像処理に関する複数の軸を表示画面に表示し、縮小画像群の各縮小画像を複数の軸に沿った位置に表示する第３工程と、第３工程において表示画面に表示された縮小画像の中から少なくとも一つを選択する第４工程と、第４工程において選択された縮小画像を拡大して表示する第５工程と、第５工程において拡大して表示された縮小画像の中から所望の縮小画像を選択する第６工程と、露出条件と画像処理の各設定値を第６工程において選択された縮小画像を第２工程が生成したときの設定値に設定する第７工程と、を有する。【選択図】図７
2015106822.tif 000002
【特許請求の範囲】
【請求項１】
異なった複数の露出条件でブラケット撮影して逐次表示画像群を生成する逐次表示画像群生成工程と、
画像処理のパラメータを異なった複数の設定値に変化させて前記画像処理を前記逐次表示画像群に対して適用して縮小画像群を生成する縮小画像群生成工程と、
前記露出条件または前記画像処理に関する複数の軸を表示画面に表示し、前記縮小画像群の各縮小画像を前記複数の軸に沿った位置に表示する縮小表示工程と、
前記縮小表示工程において前記表示画面に表示された前記縮小画像の中から少なくとも一つの前記縮小画像を選択する拡大用選択工程と、
前記拡大用選択工程において選択された前記少なくとも一つの前記縮小画像を拡大して表示する拡大表示工程と、
前記拡大表示工程において拡大して表示された前記少なくとも一つの前記縮小画像の中から所望の前記縮小画像を選択する最終選択工程と、
前記露出条件と前記画像処理の各設定値を前記最終選択工程において選択された前記縮小画像を前記縮小画像群生成工程が生成したときの設定値に設定する設定工程と、
を有することを特徴とする撮像装置の設定方法。
【請求項２】
請求項１に記載の撮像装置の設定方法において、
前記拡大用選択工程は、
前記縮小表示工程において前記表示画面に表示された前記縮小画像の中からユーザが第１の縮小画像を選択する第１選択工程と、
前記第１の縮小画像と、前記縮小表示工程において前記第１の縮小画像の周囲に表示されていた第２の縮小画像とを前記少なくとも一つの前記縮小画像として選択する第２選択工程と、
を有することを特徴とする撮像装置の設定方法。
【請求項３】
請求項１に記載の撮像装置の設定方法において、
前記拡大用選択工程は、
前記縮小表示工程において表示された前記表示画面にユーザが選択用線を設定する線設定工程と、
前記線設定工程により設定された前記選択用線と重ねる前記縮小画像を前記少なくとも一つの前記縮小画像として選択する第３選択工程と、
を有することを特徴とする撮像装置の設定方法。
【請求項４】
請求項１または２に記載の撮像装置の設定方法において、
前記逐次表示画像群の被写体のシーンを解析して、そのシーン解析結果に基づいて、前記縮小表示工程および／または前記拡大表示工程で表示される前記縮小画像の一部の表示態様を他の前記縮小画像と異なる表示態様に設定する表示態様設定工程をさらに有することを特徴とする撮像装置の設定方法。
【請求項５】
請求項１から４のいずれか一項に記載の撮像装置の設定方法において、
前記逐次表示画像群生成工程は、
絞りを複数の絞り値のいずれかに設定する絞り設定工程と、
前記絞り設定工程が前記絞りの設定をした後、シャッタスピードを変えてブラケット撮影して、前記逐次表示画像群の一部を生成するブラケット撮影工程と、
を繰り返し実施して、前記逐次表示画像群を生成することを特徴とする撮像装置の設定方法。
【請求項６】
請求項１から５のいずれか一項に記載の撮像装置の設定方法により、
前記露出条件と前記画像処理の各設定値が設定される撮像装置。
【発明の詳細な説明】
【技術分野】
【０００１】
本発明は撮像装置の設定方法と、その設定方法により設定される撮像装置に関する。
【背景技術】
【０００２】
ユーザがライブビュー画像を見ながら撮影画像の仕上りに影響する設定項目を設定することが出来る撮像装置が知られている（特許文献１）。
【先行技術文献】
【特許文献】
【０００３】
【特許文献１】特開２０１１−１４６９５７号公報
【発明の概要】
【発明が解決しようとする課題】
【０００４】
従来の撮像装置では、ユーザは、設定項目を実際に変更してみないと変更後の画像のイメージがわからない。
【課題を解決するための手段】
【０００５】
本発明による撮像装置の設定方法は、異なった複数の露出条件でブラケット撮影して逐次表示画像群を生成する逐次表示画像群生成工程と、画像処理のパラメータを異なった複数の設定値に変化させて画像処理を逐次表示画像群に対して適用して縮小画像群を生成する縮小画像群生成工程と、露出条件または画像処理に関する複数の軸を表示画面に表示し、縮小画像群の各縮小画像を複数の軸に沿った位置に表示する縮小表示工程と、縮小表示工程において表示画面に表示された縮小画像の中から少なくとも一つの縮小画像を選択する拡大用選択工程と、拡大用選択工程において選択された少なくとも一つの縮小画像を拡大して表示する拡大表示工程と、拡大表示工程において拡大して表示された少なくとも一つの縮小画像の中から所望の縮小画像を選択する最終選択工程と、露出条件と画像処理の各設定値を最終選択工程において選択された縮小画像を縮小画像群生成工程が生成したときの設定値に設定する設定工程と、を有することを特徴とする。
【発明の効果】
【０００６】
本発明によれば、設定の変更後の画像のイメージを変更前にユーザに知らしめることができる。
【図面の簡単な説明】
【０００７】
【図１】本発明の第１および第２の実施の形態による撮像装置の構成例を示すブロック図である。
【図２】本発明の第１および第２の実施の形態による撮像装置の設定画面の一例を示す図である。
【図３】拡大されたサムネイル画像が表示された表示画面の一例を示す図である。
【図４】選択線の一例を示す図である。
【図５】拡大されたサムネイル画像が表示された表示画面の一例を示す図である。
【図６】本発明の第１および第２の実施の形態による撮像装置の動作に関するフローチャートである。
【図７】本発明の第１の実施の形態における設定画面の表示処理に関するフローチャートである。
【図８】本発明の第２の実施の形態における設定画面の表示処理に関するフローチャートである。
【図９】遠隔操作による撮像装置の自動設定について説明するための図である。
【発明を実施するための形態】
【０００８】
（第１の実施の形態）
図１は、本発明の第１の実施の形態による撮像装置の回路構成を例示するブロック図である。図１に例示される電子カメラ１は、撮影レンズ７と、絞り８と、絞り駆動部９と、撮像素子１０と、アナログ信号処理回路１１と、Ａ／Ｄ変換回路１２と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１３と、ドライバ１６と、タイミングジェネレータ（ＴＧ）１７と、ＣＰＵ１８と、ＲＡＭ１９と、ＲＯＭ２０と、表示モニタ２１と、メインスイッチ２２と、半押しスイッチ２３と、全押しスイッチ２４と、測光装置２５と、記録媒体２７と、タッチパネル２８とを備える。
【０００９】
撮影レンズ７は、ズームレンズやフォーカシングレンズを含む複数のレンズ群で構成され、被写体像を撮像素子１０の受光面に結像させる。なお、図１では、図を簡単にするため、撮影レンズ７は単レンズとして図示されている。絞り８は、複数枚の絞り羽根（不図示）から形成され、撮像素子１０に受光させる光束の光量を調整する。絞り駆動部９は、ＣＰＵ１８が設定した絞り値に基づいて、絞り羽根（不図示）を駆動する。
【００１０】
なお、図１に示す電子カメラ１は、撮影レンズ７がカメラと一体的に形成された（撮影レンズが着脱不能な）デジタルカメラである。しかしながら後述する構成は、カメラボディと、そのカメラボディに着脱可能な交換レンズからなるカメラシステムに適用することも可能である。その場合、図１に図示された構成のうち撮影レンズ７、絞り８、絞り駆動部９が交換レンズ側の構成となり、その他の構成がカメラボディ側の構成となる。
【００１１】
撮像素子１０は、その撮像面上に撮像画素と焦点検出画素とを有する。撮像画素は、撮像素子１０の撮像面上に、例えばベイヤ配列に従い配置されている。撮像素子１０の撮像面には撮影レンズ７によって被写体像が結像される。撮像素子１０の各画素は、シャッタスピードの間露光して、被写体像の明るさに応じた信号電荷が蓄積される。
【００１２】
撮像素子１０は、内部発振装置１０ａを内蔵する。内部発振装置１０ａは、所定のフレームレートで駆動信号を発生させる。撮像素子１０に蓄積された信号電荷は、内部発振装置１０ａまたはドライバ１６が出力する駆動信号に従って読み出されて、アナログ信号処理回路１１に出力される。撮像画素に蓄積された信号電荷は、ライブビュー画像の生成、各種圧縮形式で圧縮された記録用画像の生成などに用いられる。
【００１３】
アナログ信号処理回路１１は、ＡＧＣ回路やＣＤＳ回路などを含み、撮像素子１０から読み出された信号電荷に対するアナログ信号処理（ゲインコントロール、ノイズ除去など）を行い、撮像信号を出力する。Ａ／Ｄ変換回路１２は、アナログ信号処理回路１１によるアナログ信号処理後の撮像信号をデジタル信号に変換して、ＡＳＩＣ１３に出力する。なお、アナログ信号処理回路１１およびＡ／Ｄ変換回路１２は、撮像素子１０と一体的に形成することができる。
【００１４】
ＡＳＩＣ１３は、ＲＡＭ１９を作業領域として、Ａ／Ｄ変換回路１２から出力されるデジタル信号に対してホワイトバランス調整、露出補正、明暗差調整、仕上がり調整などの画像処理を行い、ライブビュー画像、各種圧縮形式で圧縮された記録用画像などを出力する。
【００１５】
ホワイトバランス調整とは、種々の色温度の光源のもとで、白色を正確に白く映し出すように補正ライブビュー画像処理である。ホワイトバランス調整には、晴天時、曇天時、蛍光灯下で用いる設定が予め用意されている。
【００１６】
露出補正とは、電子カメラ１のＣＰＵ１８が自動露出制御により定めた適正露出から露出を変更して、画像の明るさを変更ライブビュー画像処理である。露出補正の強度は、零を中心値とする所定の範囲の値に設定することができる。
【００１７】
明暗差調整とは、画像のハイライト部の白とびを抑え、シャドー部の黒つぶれを軽減するための画像処理である。明暗差調整の強度には「強」、「中」、「弱」、「無」などの段階がある。
【００１８】
仕上がり調整とは、画調、色相、コントラストなどの画像の特性を変更ライブビュー画像処理である。仕上がり調整には、「スタンダード」、被写体の輪郭やコントラストを強調させる「ビビッド」、白黒やセピアなど単色の濃淡で画像を表現する「モノクローム」などの仕上がり設定が予め用意されている。
【００１９】
タイミングジェネレータ１７は、ＣＰＵ１８の制御のもと、タイミング信号を発生させる。タイミング信号は、アナログ信号処理回路１１、Ａ／Ｄ変換回路１２、およびドライバ１６のそれぞれに供給される。ドライバ１６は、タイミング信号を用いて駆動信号を生成し、その駆動信号を撮像素子１０へ出力する。
【００２０】
ＣＰＵ１８は、マイクロコンピュータなどによって構成され、ＲＡＭ１９を作業領域として用いてＲＯＭ２０に記憶されたプログラムを実行して、電子カメラ１の各部を制御する。ＲＡＭ１９は、ＡＳＩＣ１３、ＣＰＵ１８等が各部の処理を実行する際に一時的にデータを格納する作業用メモリである。ＲＯＭ２０は、例えばＥＥＰＲＯＭ、フラッシュメモリ等の不揮発性メモリであって、電子カメラ１の制御プログラムや設定情報等を記憶している。
【００２１】
表示モニタ２１は、例えば液晶モニタであって、ライブビュー画像、メニュー画面、後述する電子カメラ１の設定画面などが表示される。表示モニタ２１に表示される表示データは、ＣＰＵ１８やＡＳＩＣ１３などにより生成される。
【００２２】
メインスイッチ２２は、オン操作またはオフ操作に応じた操作信号をＣＰＵ１８へ出力する。ＣＰＵ１８は、オン操作信号を受けた場合に不図示の電源回路から各ブロックへ電源供給を開始させ、オフ操作信号を受けた場合には該電源回路から各ブロックへの電源供給を停止させる。
【００２３】
半押しスイッチ２３および全押しスイッチ２４は、レリーズボタン（不図示）の押下操作に連動してオン／オフされ、それぞれが操作信号をＣＰＵ１８へ出力する。半押しスイッチ２３は、レリーズボタン（不図示）が通常ストロークの半分程度まで押し下げ操作されると半押し信号を出力する。そして、半押しスイッチ２３は、半ストロークの押し下げ操作解除により半押し信号の出力が解除される。
【００２４】
全押しスイッチ２４は、レリーズボタン（不図示）が通常ストロークまで押し下げ操作されると全押し信号を出力する。そして、全押しスイッチ２４は、通常ストロークの押し下げ操作が解除されると全押し信号の出力が解除される。
【００２５】
タッチパネル２８は、表示モニタ２１の表面に積層される透明のタッチスイッチである。
【００２６】
測光装置２５は、ＣＰＵ１８に対して半押しスイッチ２３の半押し信号が入力されたとき、被写体の輝度を算出する。記録媒体２７は、たとえば、フラッシュメモリカードなどのデータストレージ部材によって構成され、記録用画像などが保存される。
【００２７】
（電子カメラ１の設定方法）
図２は、電子カメラ１の設定に用いる画面を模式的に示した図である。ユーザは、図２に示される設定画面１００を用いて直感的に電子カメラ１を設定する。設定画面１００には、中心点１０１を中心にして第１軸１０２ａ、第２軸１０２ｂ、第３軸１０２ｃ、第４軸１０２ｄが９０°間隔で放射状に延在している。設定画面１００は、それらの軸１０２ａ〜ｄにより四つの象限１０３ａ〜ｄに分けられている。以降、右上の象限を第１象限１０３ａ、左上の象限を第２象限１０３ｂ、左下の象限を第３象限１０３ｃ、右下の象限を第４象限１０３ｄとそれぞれ呼称する。中心点１０１から右方向に延びる第１軸１０２ａは絞り８の絞り値を表し、中心点１０１から上方向に延びる第２軸１０２ｂはホワイトバランス調整の設定を表し、中心点１０１から左方向に延びる第３軸１０２ｃはシャッタスピードを表し、中心点１０１から下方向に延びる第４軸１０２ｄは仕上り設定の設定を表す。なお、図２には、第１象限１０３ａ、第２象限１０３ｂ、第３象限１０３ｃ、および第４象限１０３ｄがそれぞれ破線で図示されているが、この破線は設定画面１００に表示しなくてもよい。
【００２８】
第１〜第４象限１０３ａ〜ｄには、それぞれサムネイル画像ＩＭＧ（ｘ，ｙ）が９個ずつ二次元状に配置されている。図２では、第２象限１０３ｂの最も左上に位置するサムネイル画像がＩＭＧ（１，１）であり、第４象限１０３ｄの最も右下に位置するサムネイル画像がＩＭＧ（６，６）である。
【００２９】
複数のサムネイル画像ＩＭＧ（ｘ，ｙ）は、それぞれ電子カメラ１の設定を変えて撮影されたライブビュー画像ＬＩＶＥ（ｘ，ｙ）を縮小することにより生成される。第１象限１０３ａに配置された９個のサムネイル画像ＩＭＧ（ｘ，ｙ）の各々は、第１軸１０２ａに関わる絞り８の絞り値と、第２軸１０２ｂに関わるホワイトバランス調整の設定とをそれぞれ所定の設定に変えて撮影されたライブビュー画像ＬＩＶＥ（ｘ，ｙ）を縮小することにより生成される。
【００３０】
たとえば、第１象限１０３ａに配置されているサムネイル画像ＩＭＧ（４，３）は、絞り８を小絞り、ホワイトバランス調整の設定を晴天時用のものに変えて撮影されたライブビュー画像ＬＩＶＥ（４，３）を縮小することにより生成される。サムネイル画像ＩＭＧ（４，３）の右隣に位置するサムネイル画像ＩＭＧ（５，３）は、絞り値を小絞りより開放側の所定の絞り値、ホワイトバランス調整の設定を晴天時用のものに変えて撮影されたライブビュー画像ＬＩＶＥ（５，３）を縮小することにより生成される。サムネイル画像ＩＭＧ（５，３）の右隣に位置するサムネイル画像ＩＭＧ（６，３）は、絞りを開放、ホワイトバランス調整の設定を晴天時用のものに変えて撮影されたライブビュー画像ＬＩＶＥ（６，３）を縮小することにより生成される。サムネイル画像ＩＭＧ（４，３）の上隣に位置するサムネイル画像ＩＭＧ（４，２）は、絞り８を小絞り、ホワイトバランス調整の設定を曇天時用のものに変えて撮影されたライブビュー画像ＬＩＶＥ（４，２）を縮小することにより生成される。サムネイル画像ＩＭＧ（４，２）の上隣に位置するサムネイル画像ＩＭＧ（４，１）は、絞り８を小絞り、ホワイトバランス調整の設定を蛍光灯用のものに変えて撮影された画像である。
【００３１】
同様に、第２象限１０３ｂに配置された９個のサムネイル画像ＩＭＧ（ｘ，ｙ）の各々は、第２軸１０２ｂに関わるホワイトバランス調整の設定と、第３軸１０２ｃに関わるシャッタスピードとを所定の設定に変えて撮影されたライブビュー画像ＬＩＶＥ（ｘ，ｙ）を縮小することにより生成される。第３象限１０３ｃに配置された９個のサムネイル画像ＩＭＧ（ｘ，ｙ）の各々は、第３軸１０２ｃに関わるシャッタスピードと、第４軸１０２ｄに関わる仕上り設定の設定とを所定の設定に変えて撮影されたライブビュー画像ＬＩＶＥ（ｘ，ｙ）を縮小することにより生成される。第４象限１０３ｄに配置された９個のサムネイル画像ＩＭＧ（ｘ，ｙ）の各々は、第４軸１０２ｄに関わる仕上り設定の設定と、第１軸１０２ａに関わる絞り８の絞り値とを所定の設定に変えて撮影されたライブビュー画像ＬＩＶＥ（ｘ，ｙ）を縮小することにより生成される。
【００３２】
ユーザがタッチパネル２８等を用いて設定画面１００に表示されたサムネイル画像ＩＭＧ（ｘ，ｙ）の中から１個以上のサムネイル画像ＩＭＧ（ｘ，ｙ）を選択すると、選択されたサムネイル画像ＩＭＧ（ｘ，ｙ）が拡大表示される。
【００３３】
たとえば、ユーザがサムネイル画像ＩＭＧ（ｘ，ｙ）を一つ選択すると、選択されたサムネイル画像と、その周囲のサムネイル画像とを拡大表示する。図３は、ユーザがサムネイル画像（４，３）を選択した場合に表示される表示画面２００を示す。表示画面２００には、選択されたサムネイル画像ＩＭＧ（４，３）と、そのサムネイル画像ＩＭＧ（４，３）の周囲のサムネイル画像ＩＭＧ（３，２）、ＩＭＧ（４，２）、ＩＭＧ（５，２）、ＩＭＧ（３，３）、ＩＭＧ（５，３）、ＩＭＧ（３，４）、ＩＭＧ（４，４）、およびＩＭＧ（５，４）とが拡大表示されている。
【００３４】
また、図４に示すようにユーザが、たとえばタッチパネル２８操作を介して設定画面１００に選択線１０４を設定すると、選択線１０４に重なるサムネイル画像ＩＭＧ（ｘ，ｙ）が拡大表示される。図４の例では、選択線１０４にサムネイル画像ＩＭＧ（１，１）、ＩＭＧ（２，２）、ＩＭＧ（３，３）、ＩＭＧ（４，４）、ＩＭＧ（５，５）、およびＩＭＧ（６，６）が重なっている。図５は、図４の選択線１０４により選択された各サムネイル画像ＩＭＧ（ｘ，ｙ）が拡大表示された表示画面３００を示している。なお、図４では、選択線１０４を直線で図示したが、ユーザがタッチパネル２８等を用いて設定した自由曲線などでもよい。
【００３５】
また、ユーザが拡大表示させるサムネイル画像ＩＭＧ（ｘ，ｙ）を設定するようにしたが、電子カメラ１が推奨するサムネイル画像ＩＭＧ（ｘ，ｙ）を示す枠等を表示するようにしてもよい。推奨する画像は、露出やＷＢなどをＣＰＵ１８が総合的に判定する。
【００３６】
ユーザが拡大されたサムネイル画像ＩＭＧ（ｘ，ｙ）のうちの一つを選択すると、ＣＰＵ１８は、選択されたサムネイル画像ＩＭＧ（ｘ，ｙ）を撮影したときの設定と同じになるように自動的に電子カメラ１を設定する。
【００３７】
図６は、電子カメラ１の自動設定に関するフローチャートである。なお、図６に示す処理が行われている間、ＡＳＩＣ１３においてライブビュー画像がフレームごとに生成されているものとする。
【００３８】
ステップＳ１００では、ＣＰＵ１８は、半押し操作が行われたか否かを判定する。ＣＰＵ１８は、半押しスイッチ２３から半押し信号が入力されていない場合、ステップＳ１００を否定判定して、ステップＳ１００の処理を繰り返す。ＣＰＵ１８は、半押しスイッチ２３から半押し信号が入力されている場合、ステップＳ１００を肯定判定して、ステップＳ２００の処理に進む。
ステップＳ２００では、ＣＰＵ１８は、後述する処理により設定画面１００を表示モニタ２１に表示する。
【００３９】
ステップＳ３００では、ＣＰＵ１８は、拡大表示させるサムネイル画像ＩＭＧ（ｘ，ｙ）をユーザが選択したか否かを判定する。ＣＰＵ１８は、拡大表示させるサムネイル画像をユーザが選択していない場合、ステップＳ３００を否定判定して、ステップＳ２００の処理に戻る。ＣＰＵ１８は、拡大表示させるサムネイル画像をユーザが選択している場合、ステップＳ３００を肯定判定して、ステップＳ４００の処理に進む。
【００４０】
ステップＳ４００では、ＣＰＵ１８は、ユーザが選択線１０４を用いてサムネイル画像ＩＭＧ（ｘ，ｙ）を選択したか否かを判定する。ＣＰＵ１８は、ユーザが選択線１０４を用いてサムネイル画像ＩＭＧ（ｘ，ｙ）を選択した場合、ステップＳ５００の処理に進み、ユーザが選択線１０４を用いてサムネイル画像ＩＭＧ（ｘ，ｙ）を選択していない場合、ステップＳ６００に進む。
【００４１】
ステップＳ５００では、ＣＰＵ１８は、ユーザが設定した選択線１０４と重なるサムネイル画像ＩＭＧ（ｘ，ｙ）を拡大して表示モニタ２１に表示する。ＣＰＵ１８は、選択線１０４と重なるサムネイル画像ＩＭＧ（ｘ，ｙ）の拡大表示が完了したらステップＳ７００の処理に進む。
【００４２】
ステップＳ６００では、ＣＰＵ１８は、ユーザが選択したサムネイル画像と、その周囲のサムネイル画像とを拡大して表示モニタ２１に表示する。ＣＰＵ１８は、それらのサムネイル画像の拡大表示が完了したらステップＳ７００の処理に進む。
【００４３】
ステップＳ７００では、ＣＰＵ１８は、拡大表示したサムネイル画像ＩＭＧ（ｘ，ｙ）の中からユーザがサムネイル画像ＩＭＧ（ｘ，ｙ）を一つ選択したか否かを判定する。ＣＰＵ１８は、ユーザがまだサムネイル画像ＩＭＧ（ｘ，ｙ）を選択していない場合、ステップＳ７００を否定判定して、ステップＳ９００の処理に進む。ＣＰＵ１８は、ユーザがサムネイル画像ＩＭＧ（ｘ，ｙ）を選択した場合、ステップＳ７００を肯定判定して、ステップＳ８００の処理に進む。
【００４４】
ステップＳ８００では、ＣＰＵ１８は、拡大表示したサムネイル画像ＩＭＧ（ｘ，ｙ）の中からユーザが選択したサムネイル画像ＩＭＧ（ｘ，ｙ）を撮影したときの設定と同じになるように自動的に電子カメラ１を設定する。ＣＰＵ１８は、電子カメラ１の自動設定が完了したらステップＳ１０００の処理に進む。
【００４５】
ステップＳ９００では、ＣＰＵ１８は、ステップＳ５００またはステップＳ６００で拡大表示するサムネイル画像を最新のライブビュー画像を用いて再生成する。ＣＰＵ１８は、拡大表示用のサムネイル画像を再生成したらステップＳ４００の処理に進む。
【００４６】
ステップＳ１０００では、ＣＰＵ１８は、ステップＳ８００で自動設定された設定に基づいて生成されたライブビュー画像を表示モニタ２１に表示する。
ステップＳ１１００では、ＣＰＵ１８は、全押し操作が行われたか否かを判定する。ＣＰＵ１８は、全押しスイッチ２４から全押し信号が入力されていない場合、ステップＳ１１００を否定判定して、ステップＳ１０００の処理に戻る。ＣＰＵ１８は、全押しスイッチ２４から全押し信号が入力されている場合、ステップＳ１１００を肯定判定して、ステップＳ１２００の処理に進む。
ステップＳ１２００では、ＣＰＵ１８は、ステップＳ８００で自動設定された設定に基づいて撮影動作を行い、記録用画像を生成して、その記録用画像を記録媒体２７に記録する。
【００４７】
図７は、図６のステップＳ２００の処理、すなわち設定画面１００を表示する処理に関するフローチャートを示す図である。
【００４８】
ステップＳ２１０では、ＣＰＵ１８は、絞り８の絞り値を変化させるブラケット撮影を行い、複数のライブビュー画像を生成する。ステップＳ２１０で生成される複数のライブビュー画像のことを第１のライブビュー画像群と呼ぶ。たとえば、ＣＰＵ１８は、図２のサムネイル画像ＩＭＧ（４，３）に対応する絞り値に絞り８を設定して、適正露出になるようにシャッタスピードと感度とを調整して撮像し、ＡＳＩＣ１３でライブビュー画像ＬＩＶＥ４を生成する。次に、ＣＰＵ１８は、サムネイル画像ＩＭＧ（５，３）に対応する絞り値に絞り８を設定して、適正露出になるようにシャッタスピードと感度とを調整して撮像し、ＡＳＩＣ１３でライブビュー画像ＬＩＶＥ５を生成する。同様に、ＣＰＵ１８は、サムネイル画像（６，３）に対応する絞り値に絞り８を設定して、適正露出になるようにシャッタスピードと感度とを調整して撮像し、ＡＳＩＣ１３でライブビュー画像ＬＩＶＥ６を生成する。
【００４９】
ステップＳ２２０では、ＣＰＵ１８は、ステップＳ２１０で生成された第１のライブビュー画像群に基づいて、第１象限１０３ａのサムネイル画像ＩＭＧ（ｘ，ｙ）を生成する。たとえば、ＣＰＵ１８は、ライブビュー画像ＬＩＶＥ４のホワイトバランス調整をサムネイル画像ＩＭＧ（４，１）、ＩＭＧ（４，２）、ＩＭＧ（４，３）の各々に対応する設定に変更して、ライブビュー画像ＬＩＶＥ（４，１）、ＬＩＶＥ（４，２）、ＬＩＶＥ（４，３）を生成する。ＣＰＵ１８は、これらのライブビュー画像ＬＩＶＥ（４，１）、ＬＩＶＥ（４，２）、ＬＩＶＥ（４，３）を縮小して、サムネイル画像ＩＭＧ（４，１）、ＩＭＧ（４，２）、ＩＭＧ（４，３）を生成する。同様にして、ライブビュー画像ＬＩＶＥ５からサムネイル画像ＩＭＧ（５，１）、ＩＭＧ（５，２）、ＩＭＧ（５，３）を生成し、ライブビュー画像ＬＩＶＥ６からサムネイル画像ＩＭＧ（６，１）、ＩＭＧ（６，２）、ＩＭＧ（６，３）を生成する。
【００５０】
ステップＳ２３０では、ＣＰＵ１８は、ステップＳ２１０で生成された第１のライブビュー画像群に基づいて、第４象限１０３ｄのサムネイル画像ＩＭＧ（ｘ，ｙ）を生成する。たとえば、ＣＰＵ１８は、ライブビュー画像ＬＩＶＥ４の仕上り設定の設定をサムネイル画像ＩＭＧ（４，４）、ＩＭＧ（４，５）、ＩＭＧ（４，６）の各々に対応する設定に変更して、ライブビュー画像ＬＩＶＥ（４，４）、ＬＩＶＥ（４，５）、ＬＩＶＥ（４，６）を生成する。ＣＰＵ１８は、これらのライブビュー画像ＬＩＶＥ（４，４）、ＬＩＶＥ（４，５）、ＬＩＶＥ（４，６）を縮小して、サムネイル画像ＩＭＧ（４，４）、ＩＭＧ（４，５）、ＩＭＧ（４，６）を生成する。同様にして、ライブビュー画像ＬＩＶＥ５からサムネイル画像ＩＭＧ（５，４）、ＩＭＧ（５，５）、ＩＭＧ（５，６）を生成し、ライブビュー画像ＬＩＶＥ６からサムネイル画像ＩＭＧ（６，４）、ＩＭＧ（６，５）、ＩＭＧ（６，６）を生成する。
【００５１】
ステップＳ２４０では、ＣＰＵ１８は、ステップＳ２２０で生成された第１象限のサムネイル画像ＩＭＧ（ｘ，ｙ）と、ステップＳ２３０で生成された第４象限のサムネイル画像ＩＭＧ（ｘ，ｙ）を表示モニタ２１に表示する。
【００５２】
ステップＳ２５０では、ＣＰＵ１８は、シャッタスピードを変化させるブラケット撮影を行い、複数のライブビュー画像を生成する。ステップＳ２５０で生成される複数のライブビュー画像のことを第２のライブビュー画像群と呼ぶ。たとえば、ＣＰＵ１８は、シャッタスピードを図２のサムネイル画像ＩＭＧ（１，３）に対応する値に設定して、適正露出になるように感度を調整して撮像し、ＡＳＩＣ１３でライブビュー画像ＬＩＶＥ１を生成する。なお、露出の調整において、絞りを調整要素としないのは、絞りの変化に時間を要するためである。次に、ＣＰＵ１８は、シャッタスピードをサムネイル画像ＩＭＧ（２，３）に対応する値に設定して、適正露出になるように感度を調整して撮像し、ＡＳＩＣ１３でライブビュー画像ＬＩＶＥ２を生成する。同様に、ＣＰＵ１８は、シャッタスピードをサムネイル画像（３，３）に対応するシャッタスピードに設定して、適正露出になるように感度を調整して撮像し、ＡＳＩＣ１３でライブビュー画像ＬＩＶＥ３を生成する。
【００５３】
ステップＳ２６０では、ＣＰＵ１８は、ステップＳ２５０で生成された第２のライブビュー画像群に基づいて、第２象限１０３ｂのサムネイル画像ＩＭＧ（ｘ，ｙ）を生成する。たとえば、ＣＰＵ１８は、ライブビュー画像ＬＩＶＥ１のホワイトバランス調整をサムネイル画像ＩＭＧ（１，１）、ＩＭＧ（１，２）、ＩＭＧ（１，３）の各々に対応する設定に変更して、ライブビュー画像ＬＩＶＥ（１，１）、ＬＩＶＥ（１，２）、ＬＩＶＥ（１，３）を生成する。ＣＰＵ１８は、これらのライブビュー画像ＬＩＶＥ（１，１）、ＬＩＶＥ（１，２）、ＬＩＶＥ（１，３）を縮小して、サムネイル画像ＩＭＧ（１，１）、ＩＭＧ（１，２）、ＩＭＧ（１，３）を生成する。同様にして、ライブビュー画像ＬＩＶＥ２からサムネイル画像ＩＭＧ（２，１）、ＩＭＧ（２，２）、ＩＭＧ（２，３）を生成し、ライブビュー画像ＬＩＶＥ３からサムネイル画像ＩＭＧ（３，１）、ＩＭＧ（３，２）、ＩＭＧ（３，３）を生成する。
【００５４】
ステップＳ２７０では、ＣＰＵ１８は、ステップＳ２１０で生成された第１のライブビュー画像群に基づいて、第３象限１０３ｃのサムネイル画像ＩＭＧ（ｘ，ｙ）を生成する。たとえば、ＣＰＵ１８は、ライブビュー画像ＬＩＶＥ１の仕上り設定の設定をサムネイル画像ＩＭＧ（１，４）、ＩＭＧ（１，５）、ＩＭＧ（１，６）の各々に対応する設定に変更して、ライブビュー画像ＬＩＶＥ（１，４）、ＬＩＶＥ（１，５）、ＬＩＶＥ（１，６）を生成する。ＣＰＵ１８は、これらのライブビュー画像ＬＩＶＥ（１，４）、ＬＩＶＥ（１，５）、ＬＩＶＥ（１，６）を縮小して、サムネイル画像ＩＭＧ（１，４）、ＩＭＧ（１，５）、ＩＭＧ（１，６）を生成する。同様にして、ライブビュー画像ＬＩＶＥ２からサムネイル画像ＩＭＧ（２，４）、ＩＭＧ（２，５）、ＩＭＧ（２，６）を生成し、ライブビュー画像ＬＩＶＥ３からサムネイル画像ＩＭＧ（３，４）、ＩＭＧ（３，５）、ＩＭＧ（３，６）を生成する。
【００５５】
ステップＳ２８０では、ＣＰＵ１８は、ステップＳ２６０で生成された第２象限のサムネイル画像ＩＭＧ（ｘ，ｙ）と、ステップＳ２７０で生成された第３象限のサムネイル画像ＩＭＧ（ｘ，ｙ）を表示モニタ２１に表示する。
【００５６】
ステップＳ２８０の処理が完了した後、ＣＰＵ１８は、図６のステップＳ３００の処理に進む。
【００５７】
なお、図７の処理のうち、ステップＳ２１０〜Ｓ２４０の一連の処理と、ステップＳ２５０〜Ｓ２８０の一連の処理は、順番を入れ替えて実行してもよく、並列に実行することにしてもよい。
【００５８】
また、ステップＳ２２０の処理とステップＳ２３０の処理の順番を入れ替えて実行しても並列に実行することにしてもよい。なお、ステップＳ２１０においてライブビュー画像が生成されるたびに、並列にステップＳ２２０の処理とステップＳ２３０の処理を実行することにしてもよい。ステップＳ２６０の処理とステップＳ２７０の処理についても同様である。
【００５９】
以上で説明した第１の実施の形態によれば、以下の作用効果が得られる。
電子カメラ１の設定方法は、異なった複数の露出条件でブラケット撮影してライブビュー画像群を生成して（図７のステップＳ２１０およびステップＳ２５０）、ホワイトバランス調整や仕上り設定の設定を変化させてホワイトバランス調整や仕上り設定をライブビュー画像群に対して適用して図２の各象限に含まれる複数のサムネイル画像ＩＭＧ（ｘ，ｙ）を生成する（ステップＳ２２０、Ｓ２３０、Ｓ２６０、Ｓ２７０）。複数のサムネイル画像ＩＭＧ（ｘ，ｙ）は、露出条件または画像処理に関する複数の軸１０２ａ〜ｄが放射状に示された設定画面１００に複数の軸１０２ａ〜ｄに沿った位置に表示される（ステップＳ２４０、Ｓ２８０）。ユーザが設定画面１００に表示されたサムネイル画像ＩＭＧ（ｘ，ｙ）の中からサムネイル画像ＩＭＧ（ｘ，ｙ）を選択すると（図６のステップＳ３００、Ｓ４００、図４）、選択されたサムネイル画像ＩＭＧ（ｘ，ｙ）が表示モニタ２１に拡大表示される（ステップＳ５００、Ｓ６００、図３、図５）。ユーザが拡大して表示されたサムネイル画像ＩＭＧ（ｘ，ｙ）の中からサムネイル画像ＩＭＧ（ｘ，ｙ）を選択すると（図６のステップＳ７００）、選択されたサムネイル画像を生成したときの電子カメラ１の設定値と同じになるように電子カメラ１を設定する（ステップＳ８００）。
このように、電子カメラ１を設定することにより、設定の変更後の画像のイメージを変更前にユーザに知らしめることができる。
【００６０】
（第２の実施の形態）
本発明の第２の実施の形態による撮像装置の設定方法では、設定画面１００の第２軸１０２ｂがホワイトバランス調整の設定ではなく、シャッタスピードを表す。そして、第３軸１０２ｃがホワイトバランス調整の設定を表す。
【００６１】
図８は、第２の実施の形態において設定画面１００を表示する処理に関するフローチャートである。ＣＰＵ１８は、ステップＳ２１５において、絞り８の絞り値をサムネイル画像ＩＭＧ（４，３）、ＩＭＧ（５，３）、およびＩＭＧ（６，３）のいずれかに対応する絞り値に設定する。
【００６２】
ＣＰＵ１８は、ステップＳ２２５において、シャッタスピードを変化させるブラケット撮影を行い、生成されるライブビュー画像を縮小して第１象限１０３ａのサムネイル画像ＩＭＧ（ｘ，ｙ）を生成する。たとえば、ＣＰＵ１８は、シャッタスピードを図２のサムネイル画像ＩＭＧ（４，３）に対応する値に設定して、適正露出になるように感度を調整して撮像し、ＡＳＩＣ１３でライブビュー画像ＬＩＶＥ（４，３）を生成して、そのライブビュー画像ＬＩＶＥ（４，３）を縮小して、サムネイル画像ＩＭＧ（４，３）を生成する。次に、ＣＰＵ１８は、シャッタスピードをサムネイル画像ＩＭＧ（５，３）に対応する値に設定して、適正露出になるように感度を調整して撮像し、ＡＳＩＣ１３でライブビュー画像ＬＩＶＥ（５，３）を生成して、そのライブビュー画像ＬＩＶＥ（５，３）を縮小して、サムネイル画像ＩＭＧ（５，３）を生成する。同様にして、ＣＰＵ１８は、シャッタスピードをサムネイル画像（６，３）に対応するシャッタスピードに設定して、ライブビュー画像ＬＩＶＥ（６，３）を生成して、サムネイル画像ＩＭＧ（６，３）を生成する。
【００６３】
ステップＳ２３５では、ＣＰＵ１８は、第１象限１０３ａのサムネイル画像が生成されたか否かを判定する。ＣＰＵ１８は、第１象限１０３ａのサムネイル画像が生成されていない場合、ステップＳ２１５の処理に戻り、サムネイル画像ＩＭＧ（４，３）、ＩＭＧ（５，３）、およびＩＭＧ（６，３）のいずれかに対応する絞り値のうち、まだサムネイル画像ＩＭＧ（ｘ，ｙ）が生成されていない絞り値となるように絞り８を設定する。ＣＰＵ１８は、第１象限１０３ａのサムネイル画像が生成されていた場合、ステップＳ２４５の処理に進む。
ステップＳ２４５では、ＣＰＵ１８は、ステップＳ２２５で生成された第１象限１０３ａのサムネイル画像ＩＭＧ（ｘ，ｙ）を表示モニタ２１に表示する。
【００６４】
ステップＳ２５５では、ＣＰＵ１８は、第２象限１０３ｂのサムネイル画像ＩＭＧ（ｘ，ｙ）を生成する。ＣＰＵ１８は、たとえば、ステップ２２５で生成されたライブビュー画像ＬＩＶＥ（５，１）、ＬＩＶＥ（５，２）、およびＬＩＶＥ（５，３）の各々に対して、サムネイル画像ＩＭＧ（１，３）、ＩＭＧ（２，３）、ＩＭＧ（３，３）の各々に対応するホワイトバランス調整の設定を適用して、第２象限１０３ｂ用のライブビュー画像ＬＩＶＥ（ｘ，ｙ）を生成する。そして、その第２象限１０３ｂ用のライブビュー画像ＬＩＶＥ（ｘ，ｙ）を縮小して、第２象限１０３ｂのサムネイル画像ＩＭＧ（ｘ，ｙ）を生成する。
ステップＳ２６５では、ＣＰＵ１８は、ステップＳ２５５で生成された第２象限１０３ｂのサムネイル画像ＩＭＧ（ｘ，ｙ）を表示モニタ２１に表示する。
【００６５】
ステップＳ２７５では、ＣＰＵ１８は、第４象限１０３ｄのサムネイル画像ＩＭＧ（ｘ，ｙ）を生成する。ＣＰＵ１８は、たとえば、ステップ２２５で生成されたライブビュー画像ＬＩＶＥ（４，２）、ＬＩＶＥ（５，２）、およびＬＩＶＥ（６，２）の各々に対して、サムネイル画像ＩＭＧ（４，４）、ＩＭＧ（４，５）、ＩＭＧ（４，６）の各々に対応する仕上り設定の設定を適用して、第４象限１０３ｄ用のライブビュー画像ＬＩＶＥ（ｘ，ｙ）を生成する。そして、その第４象限１０３ｄ用のライブビュー画像ＬＩＶＥ（ｘ，ｙ）を縮小して、第４象限１０３ｄのサムネイル画像ＩＭＧ（ｘ，ｙ）を生成する。
ステップＳ２８５では、ＣＰＵ１８は、ステップＳ２６５で生成された第４象限１０３ｄのサムネイル画像ＩＭＧ（ｘ，ｙ）を表示モニタ２１に表示する。
【００６６】
ステップＳ２９５では、ＣＰＵ１８は、第３象限１０３ｃのサムネイル画像ＩＭＧ（ｘ，ｙ）を生成する。ＣＰＵ１８は、たとえば、ステップ２５５で生成されたライブビュー画像ＬＩＶＥ（１，２）、ＬＩＶＥ（２，２）、およびＬＩＶＥ（３，２）の各々に対して、サムネイル画像ＩＭＧ（３，４）、ＩＭＧ（３，５）、ＩＭＧ（３，６）の各々に対応する仕上り設定の設定を適用して、第３象限１０３ｃ用のライブビュー画像ＬＩＶＥ（ｘ，ｙ）を生成する。そして、その第３象限１０３ｃ用のライブビュー画像ＬＩＶＥ（ｘ，ｙ）を縮小して、第３象限１０３ｃのサムネイル画像ＩＭＧ（ｘ，ｙ）を生成する。
ステップＳ３０５では、ＣＰＵ１８は、ステップＳ２９５で生成された第３象限１０３ｃのサムネイル画像ＩＭＧ（ｘ，ｙ）を表示モニタ２１に表示する。
【００６７】
以上で説明した第２の実施の形態によれば、以下の作用効果が得られる。
電子カメラ１の設定方法は、異なった複数の露出条件でブラケット撮影してライブビュー画像群を生成して（図８のステップＳ２１５〜Ｓ２３５）、ホワイトバランス調整や仕上り設定の設定を変化させてホワイトバランス調整や仕上り設定をライブビュー画像群に対して適用して図２の各象限に含まれる複数のサムネイル画像ＩＭＧ（ｘ，ｙ）を生成する（ステップＳ２５５、Ｓ２７５、Ｓ２９５）。複数のサムネイル画像ＩＭＧ（ｘ，ｙ）は、露出条件または画像処理に関する複数の軸１０２ａ〜ｄが放射状に示された設定画面１００に複数の軸１０２ａ〜ｄに沿った位置に表示される（ステップＳ２４５、Ｓ２６５、Ｓ２８５、Ｓ３０５）。ユーザが設定画面１００に表示されたサムネイル画像ＩＭＧ（ｘ，ｙ）の中からサムネイル画像ＩＭＧ（ｘ，ｙ）を選択すると（図６のステップＳ３００、Ｓ４００、図４）、選択されたサムネイル画像ＩＭＧ（ｘ，ｙ）が表示モニタ２１に拡大表示される（ステップＳ５００、Ｓ６００、図３、図５）。ユーザが拡大して表示されたサムネイル画像ＩＭＧ（ｘ，ｙ）の中からサムネイル画像ＩＭＧ（ｘ，ｙ）を選択すると（図６のステップＳ７００）、選択されたサムネイル画像を生成したときの電子カメラ１の設定値と同じになるように電子カメラ１を設定する（ステップＳ８００）。
このように、電子カメラ１を設定することにより、設定の変更後の画像のイメージを変更前にユーザに知らしめることができる。
【００６８】
以上で説明した実施形態は、以下のように変形して実施できる。
〔変形例１〕
以上で説明した実施形態では、設定画面１００の各軸１０２ａ〜ｄは、シャッタスピード、絞り値、ホワイトバランス調整の設定、仕上り設定の設定をそれぞれ表していたが、電子カメラ１の他の設定項目を表すことにしてもよい。たとえば、露出補正の強度や明暗差調整の強度を表すことにしてもよい。
【００６９】
〔変形例２〕
以上で説明した実施形態では、設定画面１００、表示画面２００、および表示画面３００を電子カメラ１の表示モニタ２１に表示することにしたが、図９（ａ）に示すような撮影システム３を構成して、電子カメラ１と通信可能なスマートフォンなどの情報端末２の表示部３０にこれらの画面を表示することにしてもよい。たとえば、図９（ｂ）に示すようなシーケンスで情報端末に設定画面１００を表示させてもよい。
【００７０】
情報端末２が記憶部３１に記憶された所定のアプリケーションプログラムを実行して、電子カメラ１に対して、半押し信号を送信すると共に、図７のステップＳ２２０、Ｓ２３０、Ｓ２６０、Ｓ２７０でそれぞれ生成されるサムネイル画像群の送信要求を電子カメラ１に送信する（ステップＳ１５００）。電子カメラ１は、図７のステップＳ２４０およびステップＳ２８０の処理を実行する代わりに、各象限のサムネイル画像ＩＭＧ（ｘ，ｙ）をサムネイル画像群として情報端末２に送信する（ステップＳ１６００）。情報端末２は、各象限のサムネイル画像ＩＭＧ（ｘ，ｙ）を用いて表示部３０に設定画面１００を表示する（ステップＳ１７００）。
【００７１】
また、ユーザが情報端末２の表示部３０に表示された設定画面１００を見てサムネイル画像ＩＭＧ（ｘ，ｙ）を選択すると、情報端末２が拡大したいサムネイル画像ＩＭＧ（ｘ，ｙ）に関する情報を電子カメラ１に送信する（ステップＳ１８００）。電子カメラ１は、情報端末２に送信を要求されたサムネイル画像ＩＭＧ（ｘ，ｙ）を拡大して、拡大したサムネイル画像ＩＭＧ（ｘ，ｙ）を情報端末２に送信する（ステップＳ１９００）。情報端末２は、拡大したサムネイル画像ＩＭＧ（ｘ，ｙ）を用いて表示画面２００または表示画面３００を表示する（ステップＳ２０００）。ユーザが表示画面２００または表示画面３００を見てサムネイル画像ＩＭＧ（ｘ，ｙ）を選択すると、情報端末２は、選択されたサムネイル画像ＩＭＧ（ｘ，ｙ）に関する情報を電子カメラ１に送信する（ステップＳ２１００）。電子カメラ１は、その選択されたサムネイル画像ＩＭＧ（ｘ，ｙ）に関する情報に基づいて、選択されたサムネイル画像を生成したときの電子カメラ１の設定値と同じになるように電子カメラ１を設定する（ステップＳ２２００）。このようにすることで、電子カメラ１から離れた位置で設定することができるようになる。
【００７２】
〔変形例３〕
図６のステップＳ５００およびステップＳ６００および／または図７のステップＳ２４０およびステップＳ２８０などのようにサムネイル画像ＩＭＧ（ｘ，ｙ）を表示モニタ２１に表示する前に、ライブビュー画像ＬＩＶＥ（ｘ，ｙ）を用いて被写体についてシーン解析を行い、そのシーン解析結果に基づいて、一部のサムネイル画像の表示態様を他のサムネイル画像と異なる表示態様に設定して、強調することにしてもよい。たとえば、ライブビュー画像ＬＩＶＥ（ｘ，ｙ）に含まれる被写体が動いている場合は、シャッタスピードに関する第３軸１０２ｃの近傍に配置されるサムネイル画像ＩＭＧ（ｘ，ｙ）、たとえば図２のＩＭＧ（１，３）、ＩＭＧ（２，３）、ＩＭＧ（３，３）、ＩＭＧ（１，４）、ＩＭＧ（２，４）、およびＩＭＧ（３，４）を強調表示することにすればよい。また、ライブビュー画像ＬＩＶＥ（ｘ，ｙ）に動物の顔が含まれる場合は背景がぼけるように絞りを調整することが好ましいため、シャッタスピードに関する第３軸１０２ａの近傍に配置されるサムネイル画像ＩＭＧ（ｘ，ｙ）を強調表示すればよい。
【００７３】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００７４】
１：電子カメラ、２：情報端末、３：撮影システム、２１：表示モニタ、３０：表示部、１００：設定画面、１０１：中心点、１０２ａ：第１軸、１０２ｂ：第２軸、１０２ｃ：第３軸、１０２ｄ：第４軸、１０４：選択線、２００，３００：表示画面
【図１】
2015106822.tif 000003
【図２】
2015106822.tif 000004
【図３】
2015106822.tif 000005
【図４】
2015106822.tif 000006
【図５】
2015106822.tif 000007
【図６】
2015106822.tif 000008
【図７】
2015106822.tif 000009
【図８】
2015106822.tif 000010
【図９】
2015106822.tif 000011